(57)【特許請求の範囲】
【請求項１】
（ａ）一つ以上の電池セルで構成された複数のセルユニットが並列に連結されている電池モジュール；
（ｂ）前記電池モジュールの上部及び下部を覆っている一対の上部ケース及び下部ケースであって、電池モジュールアセンブリの位置固定及び装着のために前記上部ケースの前面及び／または下部ケースの前面に締結口が形成されている上部ケース及び下部ケース；及び
（ｃ）前記電池モジュールの前面に設けられ、前記複数のセルユニットの陽極端子及び陰極端子をそれぞれ電気的に並列に連結するためのバスバーアセンブリ；
を含むことを特徴とする電池モジュールアセンブリ。
【請求項２】
前記締結口は、内周面に締結用ねじ山が形成されている構造からなることを特徴とする、請求項１に記載の電池モジュールアセンブリ。
【請求項３】
前記電池モジュールアセンブリの位置固定及び装着のための棒状部材が結合される湾入部が前記上部ケースの後面及び／または下部ケースの後面にさらに形成されていることを特徴とする、請求項１に記載の電池モジュールアセンブリ。
【請求項４】
前記湾入部は、前記複数のセルユニットの配列方向に対して平行方向に前記上部ケースの後面及び／または下部ケースの後面に形成されていることを特徴とする、請求項３に記載の電池モジュールアセンブリ。
【請求項５】
前記電池モジュールは、二つまたはそれ以上の電池セルで構成された複数のセルユニットが並列に連結されていることを特徴とする、請求項１に記載の電池モジュールアセンブリ。
【請求項６】
前記セルユニットは、偶数個の電池セルで構成されていることを特徴とする、請求項１に記載の電池モジュールアセンブリ。
【請求項７】
前記セルユニットの各電極端子はバスバーによって互いに電気的に連結されていることを特徴とする、請求項１に記載の電池モジュールアセンブリ。
【請求項８】
前記バスバーアセンブリは、
（ａ）電気絶縁性の素材からなっており、前記電池モジュールの前面に装着されるカバープレート；及び
（ｂ）前記カバープレート上に装着された状態で平面上に‘Ｌ’字状の一側に外部入出力端子が形成されており、他側に二つ以上のバスバーが分枝されている本体部；
を含んでおり、
前記一対の本体部は、前記複数のセルユニットの配列方向に対して垂直方向に互いに向かい合う構造で配列されていることを特徴とする、請求項１に記載の電池モジュールアセンブリ。
【請求項９】
前記本体部は、前記カバープレートにインサート射出形成で結合されていることを特徴とする、請求項８に記載の電池モジュールアセンブリ。
【請求項１０】
前記本体部には、各外部入出力端子間の短絡を防止するための段差が形成されていることを特徴とする、請求項９に記載の電池モジュールアセンブリ。
【請求項１１】
前記電池セルは、樹脂層及び金属層を含むラミネートシートの電池ケースに陽極／分離膜／陰極構造の電極組立体が内蔵されており、前記電池ケースの両端に前記陽極端子及び陰極端子が突出していることを特徴とする、請求項１に記載の電池モジュールアセンブリ。
【請求項１２】
前記電池セルの電極端子の部分を除いた外周面に絶縁テープが付着していることを特徴とする、請求項１に記載の電池モジュールアセンブリ。
【請求項１３】
各セルユニット内の電池セルが互いに密着した状態で金属ハウジングに内蔵されている構造からなることを特徴とする、請求項１１に記載の電池モジュールアセンブリ。
【請求項１４】
前記金属ハウジングは、前記陽極端子及び陰極端子の部分を除いて前記電極組立体の外面全体を覆うように互いに結合される構造からなることを特徴とする、請求項１３に記載の電池モジュールアセンブリ。
【請求項１５】
前記金属ハウジングは、前記電極組立体の外面形状に対応する内面構造を有しており、組立締結方式で結合されることを特徴とする、請求項１３に記載の電池モジュールアセンブリ。
【請求項１６】
前記金属ハウジングの断面結合部は、各金属ハウジングを互いに対面するように接触させた状態で加圧したとき、弾力的な結合によって噛み合わされる雄雌締結構造からなることを特徴とする、請求項１３に記載の電池モジュールアセンブリ。
【請求項１７】
前記金属ハウジングは金属板材からなることを特徴とする、請求項１３に記載の電池モジュールアセンブリ。
【請求項１８】
出力及び容量に対応して請求項１による電池モジュールアセンブリを二つまたはそれ以上含む構造からなる電池パック。
【請求項１９】
請求項１８による電池パックを含むことを特徴とするデバイス。
【発明の詳細な説明】
【技術分野】
【０００１】
本発明は、信頼性が向上した電池モジュールアセンブリ及びこれを含む中大型電池パックに関し、より詳細には、（ａ）一つ以上の電池セルで構成された各セルユニットが並列に連結されている二つ以上の電池モジュール；（ｂ）前記各電池モジュールを側面に直立させた状態で上部及び下部を覆っている一対の上部ケース及び下部ケース；（ｃ）前記各電池モジュールの前面で各電池モジュールを電気的に並列に連結するためのバスバーアセンブリ；及び（ｄ）電池モジュールアセンブリの位置固定及び装着のために上部ケースの前面及び／または下部ケースの前面に形成されている締結口；を含む電池モジュールアセンブリに関する。
【背景技術】
【０００２】
最近、充放電が可能な二次電池は、ワイヤレスモバイル機器のエネルギー源として広範囲に使用されている。また、二次電池は、化石燃料を使用する既存のガソリン車両、ディーゼル車両などの大気汚染などを解決するための方案として提示されている電気自動車（ＥＶ）、ハイブリッド電気自動車（ＨＥＶ）などの動力源としても注目されている。
【０００３】
各小型モバイル機器にはデバイス１台当たり一つまたは二つないし三つの電池セルが使用される一方、自動車などの中大型デバイスには、高出力大容量の必要性により、多数の電池セルを電気的に連結した中大型電池パックが使用される。
【０００４】
中大型電池パックは、可能な限り小さいサイズと重量で製造されることが好ましいので、高い集積度で充積することができ、容量に対比して重量の小さい角形電池、パウチ型電池などが中大型電池パックの電池セルとして主に使用されている。特に、アルミニウムラミネートシートなどを外装部材として使用するパウチ型電池は、重量が小さく、製造費用が低く、形態の変形が容易であるという利点により、最近、多くの関心を集めている。
【０００５】
また、中大型電池パックが所定の装置及びデバイスで要求される出力及び容量を提供するためには、多数の電池セルを直列方式または直列及び並列方式で電気的に連結しなければならなく、外力に対して安定的な構造を維持しなければならない。
【０００６】
具体的に、各電池セルを並列方式で連結する場合、電池セルのそれぞれの電極端子は、１個の溶接点で１：１溶接によって連結される。
【０００７】
しかし、３個以上の電池セルが積層された状態で並列連結をなす場合、３個以上の電極端子間の連結が必要であるので、その構造が複雑なだけでなく、同一の部分の溶接時に内部抵抗が増加するという問題が発生する。
【０００８】
一方、一般に、従来の電池パックは、動的安定性を確保するために各電池モジュールをベースプレートに固定し、適正な個数の電池モジュールに対してエンドプレート、サポートバーなどの部材を使用して製造される。
【０００９】
しかし、このような構造の電池パックは、各電池モジュールの装着において空間制約を多く有しており、多くの個数の電池モジュールが共に構成される場合、全体的な電池パックの構造的安定性が低下するという問題を有する。
【００１０】
また、従来の電池パックの場合、動的安定性を確保するために各電池モジュールをベースプレートにボルトやナットで固定することによって上下方向の移動を防止し、エンドプレートとサポートバーを通じて長さ方向を固定する形態で構成されている。
【００１１】
しかし、このような構造の電池パックは、多数のボルトやナットなどの締結部材を使用して各電池モジュールをベースプレートに装着するので、組立工程が煩雑なだけでなく、締結部材に対する空間を確保しなければならないので、空間上の制約及び各締結部材の重量的な制約を有している。
【００１２】
したがって、前述の各問題を解決できるコンパクトな構造の電池パックが非常に必要な実情にある。
【発明の概要】
【発明が解決しようとする課題】
【００１３】
本発明は、前述のような従来技術の問題と以前から要請されてきた技術的課題を解決することを目的とする。
【００１４】
具体的に、本発明の目的は、各セルユニットを２個の単位で並列に連結する溶接が可能なバスバーを提供することによって、溶接信頼性を向上させ、内部抵抗を最小化した構造の電池モジュールアセンブリを提供することにある。
【００１５】
本発明の他の目的は、各電池モジュールを固定するための新規の締結構造により、組立工程を簡素化し、全体的にコンパクトでありながら軽い重量の電池モジュールアセンブリを提供することにある。
【課題を解決するための手段】
【００１６】
このような目的を達成するための本発明に係る電池モジュールアセンブリは、
（ａ）一つ以上の電池セルで構成された各セルユニットが並列に連結されている二つ以上の電池モジュール；
（ｂ）前記各電池モジュールを側面に直立させた状態で上部及び下部を覆っている一対の上部ケース及び下部ケース；
（ｃ）前記各電池モジュールの前面で各電池モジュールを電気的に並列に連結するためのバスバーアセンブリ；及び
（ｄ）電池モジュールアセンブリの位置固定及び装着のために上部ケースの前面及び／または下部ケースの前面に形成されている締結口；
を含んで構成されている。
【００１７】
すなわち、本発明の電池モジュールアセンブリは、最小限の部材を使用して各電池モジュールを上部ケースと下部ケース内に結合できるので、組み立てを容易に行うことができ、結果的に電池パックの空間を最適化することができ、電池パックの重量を減少させることができる。特に、ラックなどの棚構造で組み立てて電池パックを構成する場合、固定及び装着を容易にすることによって、全体的な構造的安定性を確保することができる。
【００１８】
一つの好ましい例において、前記締結口は、内周面に締結用ねじ山が形成されている構造からなっており、前記締結口にボルトなどの部材を容易に挿入して締結することによって、ラックなどの構造の電池パックを容易に構成することができる。
【００１９】
他の好ましい例において、前記電池モジュールアセンブリの位置固定及び装着のための棒状部材が結合される湾入部が前記上部ケースの後面及び／または下部ケースの後面にさらに形成されている構造であり得る。
【００２０】
好ましくは、棒状部材の外面形状に対応する内面形状に湾入された構造を有する湾入部は、電池モジュールの配列方向に対して水平方向に上部ケースの後面及び／または下部ケースの後面に形成することができる。したがって、前記棒状部材を湾入部に装着することによって、間接的に電池モジュールを固定する役割をする。
【００２１】
一方、前記電池モジュールは、好ましくは、二つまたはそれ以上の電池セルで構成された各セルユニットが並列に連結されている構造であり得る
【００２２】
また、前記セルユニットは、偶数個の電池セルで構成することができる。すなわち、電池モジュールの容量を考慮して並列連結を含む場合、多数の電極端子の相互間または電極端子とバスバーとの間の溶接時、同一の部分に同時に溶接が行われるので、溶接部分での内部抵抗の増加が不可避である。
【００２３】
その一方、本発明の電池モジュールアセンブリは、前記セルユニットの各電池セルを２個の単位で区分して並列に連結することによって、溶接部分の溶接信頼性を向上させることができ、偶数単位での並列構成の拡張が容易である。
【００２４】
前記セルユニットの各電極端子は、バスバーによって互いに電気的に連結することができ、前記２個以上の偶数単位で形成されるセルユニットによって溶接を容易に行うことができる。
【００２５】
一つの好ましい例において、前記バスバーアセンブリは、
（ａ）電気絶縁性の素材からなっており、各電池モジュールの前面に装着され、一対の本体部を含むカバープレート；及び
（ｂ）前記カバープレート上に装着された状態で平面上に‘Ｌ’字状の一側に外部入出力端子が形成されており、他側に二つ以上のバスバーが分枝されている前記一対の本体部；
を含んでおり、
前記一対の本体部は、電池モジュールの配列方向に対して水平方向に互いに向かい合う構造で配列することができる。
【００２６】
前記本体部は、好ましくは、カバープレートにインサート射出形成によって結合することができる。
【００２７】
また、前記本体部には、好ましくは、電池モジュールアセンブリの各外部入出力端子間の短絡を防止するための段差が形成されており、このような段差を適用して外部入出力端子の位置を設定することができる。
【００２８】
前記電池セルは、電池モジュールの構成のために充積されたとき、全体のサイズを最小化できるように薄い厚さと相対的に広い幅及び長さを有する二次電池である。このような二次電池の好ましい例としては、樹脂層及び金属層を含むラミネートシートの電池ケースに陽極／分離膜／陰極構造の電極組立体が内蔵されており、前記電池ケースの両端または一端に陽極端子及び陰極端子が突出している構造の二次電池を挙げることができ、具体的に、アルミニウムラミネートシートのパウチ型ケースに電極組立体が内蔵されている構造であり得る。このような構造の二次電池を‘パウチ型電池セル’と称することもある。
【００２９】
一つの好ましい例において、前記セルユニットは、各電池セルが互いに密着した状態で金属ハウジングに内蔵される構造からなり得る。
【００３０】
前記構造において、前記金属ハウジングは、二つまたはそれ以上の電池セル、及び前記陽極端子及び陰極端子の部分を除いては、電池セル積層体の外面全体を覆うように互いに結合することができる。したがって、前記金属ハウジングは、機械的剛性の低い電池セルを保護しながら、充放電時の反復的な膨張及び収縮の変化を抑制し、電池セルのシーリング部分の分離を防止する。
【００３１】
具体的に、前記金属ハウジングは、電池セル積層体の外面形状に対応する内面構造を有しており、特に、別途の締結部材を必要としない組立締結方式で結合される構造からなり得る。このような金属ハウジングにおける断面結合部の代表的な例としては、金属ハウジングを互いに対面するように接触させた状態で加圧したとき、弾力的な結合によって噛み合うように形成された雄雌締結構造を挙げることができる。
【００３２】
一方、二次電池の場合、充放電過程で発熱現象が起こり、このように発生した熱を外部に効果的に放出することは、電池の寿命を延ばし、安全性を担保する側面で重要な要素として作用するようになる。したがって、前記金属ハウジングは、内部の電池セルで発生する熱がより容易に外部に放出されるように、高い熱伝導性の金属板材からなることが好ましい。
【００３３】
場合によっては、前記電池セルの電極端子の部分を除いた外周面には絶縁テープを付着させることができる。したがって、電池セルと前記金属ハウジングなどのその他の部材との接触による絶縁抵抗の破壊問題を未然に防止することができる。
【００３４】
本発明は、出力及び容量に対応して前記電池モジュールアセンブリを二つまたはそれ以上含む構造からなる高出力大容量の中大型電池パックを提供する。
【００３５】
本発明に係る電池パックは、所望の出力及び容量に応じて各電池モジュールアセンブリを組み合わせて製造することができる。
【００３６】
また、本発明は、前記中大型電池パックを含むデバイスを提供する。
【００３７】
前記デバイスは、上述したような装着効率性、構造的安定性などを考慮すると、電気自動車、ハイブリッド電気自動車、プラグインハイブリッド電気自動車、電力貯蔵装置などであることが好ましいが、適用範囲がこれらのみに限定されるわけではない。
【図面の簡単な説明】
【００３８】
【図１】本発明に係る電池モジュールアセンブリの斜視図である。
【図２】図１の電池モジュールアセンブリの分解斜視図である。
【図３】図１の電池モジュールアセンブリの正面図である。
【図４】図１の電池モジュールアセンブリの側面図である。
【図５】セルユニットの模式図である。
【図６】図５の電池セルの部分拡大図である。
【図７】バスバーアセンブリの模式図である。
【図８】図７の一対の本体部の模式図である。
【発明を実施するための形態】
【００３９】
以下では、本発明の実施例を図面を参照して説明するが、これは、本発明のより容易な理解のためのものであって、本発明の範疇がそれによって限定されることはない。
【００４０】
図１は、本発明の一つの実施例に係る電池モジュールアセンブリの斜視図で、図２は、図１の電池モジュールアセンブリの分解斜視図である。
【００４１】
これら図面を参照すると、電池モジュールアセンブリ３００は、２個の電池セル１０で構成された各セルユニット１００が並列に連結されている８個の電池モジュール２００；各電池モジュール２００を側面に直立させた状態で上部及び下部を覆っている一対の上部ケース２１０及び下部ケース２２０；各電池モジュール２００の前面で各電池モジュール２００を電気的に並列に連結するためのバスバーアセンブリ２３０；及び電池モジュールアセンブリ３００の位置固定及び装着のために上部ケース２１０の前面及び／または下部ケース２２０の前面に形成されている各締結口２１１、２２１；を含んでいる。
【００４２】
図３は、図１の電池モジュールアセンブリの正面図で、図４は、図１の電池モジュールアセンブリの側面図である。
【００４３】
これらの図面を図１及び図２と共に参照すると、各締結口２１１、２２１は、内周面に締結用ねじ山（図示せず）が形成されている構造からなっており、各締結口２１１、２２１にボルト２５０を挿入して締結し、所定の部分または装置に電池モジュールアセンブリを固定させることができる。
【００４４】
また、電池モジュール２００の配列方向に対して水平方向（図３のＡ方向）に上部ケース２１０の後面及び下部ケース２２０の後面に湾入部２４０、２４１が形成されており、電池モジュールアセンブリ３００の位置固定及び装着のための棒状部材（図示せず）を湾入部２４０、２４１に結合することができる。
【００４５】
図５は、セルユニットの模式図で、図６は、図５の電池セルの部分拡大図である。
【００４６】
これらの図面を参照すると、セルユニット１００は、２個の電池セル１０で構成されており、電池セル１０の電極端子１１の部分を除いた外周面に絶縁テープ１５が付着しており、電池セル１０と金属ハウジング１２０との接触による絶縁抵抗の破壊問題を未然に防止することができる。
【００４７】
具体的に、２個の電池セル１０の外面全体を覆う構造の一対の高強度金属ハウジング１２０が示されているが、金属ハウジング１２０は、機械的剛性の低い電池セル１０を保護しながら充放電時の反復的な膨張及び収縮の変化を抑制し、電池セル１０のシーリング部分が分離することを防止する。金属ハウジング１２０は、一対の左側ハウジング１２１及び右側ハウジング１２２からなっており、別途の締結部材を使用せずに互いに結合される構造であり得る。
【００４８】
図７は、本発明の一つの実施例に係るバスバーアセンブリの模式図で、図８は、図７の一対の本体部の模式図である。
【００４９】
これらの図面を以前の各図面と共に参照すると、バスバーアセンブリ２３０は、カバープレート２３１及び本体部２３２からなっている。
【００５０】
カバープレート２３１は、電気絶縁性の素材からなっており、電池モジュール２００の前面に装着され、一対の本体部２３２を含んでいるので、セルユニット１００の各電極端子１１は、バスバー２３３によって互いに電気的に連結される。
【００５１】
本体部２３２は、カバープレート２３１にインサート射出形成で結合されている状態で平面上に‘Ｌ’字状の一側に外部入出力端子２３４が形成されており、他側に二つ以上のバスバー２３３が分枝されている。
【００５２】
一対の本体部２３２、２３２’は、電池モジュール２００の配列方向に対して水平方向（図３のＡ方向）に互いに向かい合う構造で配列されている。
【００５３】
本体部２３２には、各外部入出力端子２３４、２３４’間の短絡を防止するための段差が形成されており、このような段差を適用して外部入出力端子２３４、２３４’の位置を設定することができる。
【００５４】
以上、本発明の実施例を図面を参照して説明したが、本発明の属する分野で通常の知識を有する者であれば上記の内容に基づいて本発明の範疇内で多様な応用及び変形を行うことが可能であろう。
【産業上の利用可能性】
【００５５】
本発明に係る電池モジュールアセンブリは、各セルユニットを２個の単位で並列に連結する溶接が可能なバスバーを提供することによって、溶接信頼性を向上させることができる。
【００５６】
また、電池モジュールアセンブリの上部ケースの前面及び／または下部ケースの前面に形成されている締結口によって固定することによって、電池パックの組み立てを容易に行い、空間活用度の高い電池パックを製造することができる。
【符号の説明】
【００５７】
１０  電池セル
１１  電極端子
１５  絶縁テープ
１００  セルユニット
１２０  金属ハウジング
１２１  左側ハウジング
１２２  右側ハウジング
２００  電池モジュール
２１０  上部ケース
２１１  締結口
２２０  下部ケース
２２１  締結口
２３０  バスバーアセンブリ
２３１  カバープレート
２３２  本体部
２３２’  本体部
２３３  バスバー
２３３’  バスバー
２３４  外部入出力端子
２３４’  外部入出力端子
２４０  湾入部
２４１  湾入部
２５０  ボルト
３００  電池モジュールアセンブリ
【図１】
0005866451.tif 000002
【図２】
0005866451.tif 000003
【図３】
0005866451.tif 000004
【図４】
0005866451.tif 000005
【図５】
0005866451.tif 000006
【図６】
0005866451.tif 000007
【図７】
0005866451.tif 000008
【図８】
0005866451.tif 000009